【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
固体支持体を形成するため、すなわち、マルチブロックポリマーが結合パートナーに結合しているポリマー粒子を形成するための、前記マルチブロックビニルポリマーが表面に結合した前記ポリマー粒子の使用であって、
前記マルチブロックビニルポリマーが、第１のブロックポリマーおよび第２のブロックポリマーを含む複数のブロックポリマーを含み、
前記第１のブロックポリマーが、ポリマー粒子の表面に最も近いブロックであり、親水性で電荷を帯びておらず、かつ
前記第２のブロックポリマーが、結合パートナーと共有結合を形成できる１つまたは複数の官能基を含む、使用。
【請求項２】
前記第２のブロックポリマーが電荷を帯びているかまたは電荷を帯びることができ、任意で、前記第２のブロックポリマーが、アミノ、ホスフェート、スルホン酸、またはカルボン酸のペンダント官能基を含む、請求項１に記載の使用。
【請求項３】
第３のブロックポリマーをさらに含む、請求項１または２に記載の使用。
【請求項４】
前記マルチブロックビニルポリマーが、２つのブロックポリマー、３つのブロックポリマー、または４つのブロックポリマーを有する、請求項１または２に記載の使用。
【請求項５】
前記マルチブロックビニルポリマーが、２つのブロックポリマーを有する、請求項１または２に記載の使用。
【請求項６】
前記第１のブロックポリマーが少なくとも３つの同一の繰り返しモノマー単位から形成され、かつ／または、前記第２のブロックポリマーが少なくとも３つの同一の繰り返しモノマー単位から形成され、かつ／または、前記第１のブロックポリマーが第１のモノマー単位から形成され、前記第２のブロックポリマーが第２のモノマー単位から形成される、請求項１から５のいずれか一項に記載の使用。
【請求項７】
前記マルチブロックビニルポリマーの各ブロックが、５００ダルトン〜１０，０００ダルトンの分子量を有する、請求項１から６のいずれか一項に記載の使用。
【請求項８】
前記マルチブロックビニルポリマーが、エチレン、スチレン、アクリレート、アクリル酸、アクリルアミド、ヒドロキシメチルアクリルアミド、Ｎ−トリス（ヒドロキシメチル）アクリルアミド、塩化ビニル、テトラフルオロエチレン、ビニルアズラクトン、ビニルベンジルクロリド、またはこれらの組み合わせのポリマーを含み、任意で、アクリレートが、メタクリレート、メタクリル酸メチル、アクリル酸エチル、Ｎ−ヒドロキシスクシンイミドメタクリレート、アクリル酸ｔｅｒｔブチル、アクリル酸ブチル、アクリル酸エトキシエチル、アクリル酸エチルヘキシル、アクリル酸ヒドロキシエチル、アクリル酸ヒドロキシメチル、アクリル酸ヒドロキシプロピル、ＰＥＧ官能性を有するアクリレート、アクリル酸ヒドロキシメチル、アクリル酸エチル、エチルエーテルアクリレート、エチレングリコールメチルエーテルアクリレート、フルオレセインｏ−アクリレート、２−アクリル酸ヒドロキシプロピル、またはこれらの組み合わせである、前記請求項のいずれか一項に記載の使用。
【請求項９】
前記マルチブロックビニルポリマーがメタクリレートのポリマーを含む、前記請求項のいずれか一項に記載の使用。
【請求項１０】
前記第１のブロックポリマーがスチレンポリマーであり、前記第２のブロックポリマーがメタクリレートポリマーである、請求項１から９のいずれか一項に記載の使用。
【請求項１１】
前記第２のブロックポリマーが、アミノ、カルボン酸、活性化されたカルボン酸、スクシンイミジルエステル、エステル、酸塩化物、ハロゲン化物、活性化された水酸化物、アルコキシド、トシレート、ブロシレート、メシラート、水酸基、チオール、活性化されたチオール、カーボネート、マレイミドおよびエポキシドからなる群から選択される少なくとも１つの官能基を含む、請求項１から１０のいずれか一項に記載の使用。
【請求項１２】
前記ポリマー粒子が磁性物質であり、任意で、前記ポリマー粒子が超常磁性結晶をさらに含み、かつ／または、前記ポリマー粒子が多孔性である、前記請求項のいずれか一項に記載の使用。
【請求項１３】
前記ポリマー粒子が、約０．１μｍ〜約５００μｍの直径を有し、かつ／または、球形形状であることを特徴とし、かつ／または、実質的に単分散であることを特徴とする、前記請求項のいずれか一項に記載の使用。
【請求項１４】
実質的に単分散でありかつ２０％未満の変動係数を有することを特徴とする、前記請求項のいずれか一項に記載の使用。
【請求項１５】
前記結合パートナーが、抗体、アミノ酸、タンパク質、ペプチド、ポリペプチド、酵素、ホルモン、リンホカイン、代謝産物、抗原、ハプテン、レクチン、アビジン、ストレプトアビジン、ビオチン、毒素、毒、糖質、オリゴ糖、多糖、糖タンパク質、糖脂質、ヌクレオチド、オリゴヌクレオチド、核酸もしくは誘導体化された核酸、ＤＮＡ、ＲＮＡ、受容体、ウイルス粒子、細菌、ウイルス成分、細胞、細胞成分、天然の脂質小胞、合成脂質小胞、またはポリマー膜である、前記請求項のいずれか一項に記載の使用。
【請求項１６】
前記固体支持体が分離において用いられるかまたは輸送ビヒクルとして用いられる、前記請求項のいずれか一項に記載の使用。
【請求項１７】
前記固体支持体が競合アッセイにおいて用いられる、前記請求項のいずれか一項に記載の使用。
【請求項１８】
前記固体支持体がイムノアッセイまたは核酸検出において用いられる、前記請求項のいずれか一項に記載の使用。
【請求項１９】
前記ポリマー粒子がコーティング層をさらに含む、前記請求項のいずれか一項に記載の使用。
【請求項２０】
試料から標的物質を精製する方法であって、
標的物質を含む試料を提供する段階と、
請求項１〜１５のいずれか一項で定義されたようにマルチブロックビニルポリマーを通じて結合パートナーに結合しているポリマー粒子を提供する段階と、
前記標的物質が前記ポリマー粒子に結合するのに適している条件下で、前記試料と前記ポリマー粒子を接触させる段階と、
前記ポリマー粒子を前記試料から分離する段階と
を含む、方法。
【請求項２１】
前記分離段階の後に、前記標的物質を検出する段階、および／または、前記分離段階の後に、前記標的物質を前記ポリマー粒子から単離する段階をさらに含む、請求項２０に記載の方法。
【請求項２２】
前記標的物質が、ペプチド、タンパク質、糖タンパク質、脂質、糖質、リポタンパク質、糖タンパク質、核酸、ＤＮＡ、ＲＮＡ、ＰＮＡ、アプタマー、ヌクレオシド、ヌクレオチド、多糖、脂質小胞、ウイルス、または細胞、あるいは、サイトカイン、ホルモン、ビタミン、表面受容体、ハプテン、抗原、抗体、酵素、成長因子、組換えタンパク質、または毒素である、請求項２０または２１に記載の方法。
【請求項２３】
前記試料が、生物学的発酵培地、細胞溶解物、原核細胞、真核生物細胞、ウイルス粒子の懸濁液、組織、体液、尿、脳脊髄液、血液、リンパ液、間質液、細胞抽出液、粘液、唾液、痰、糞便、および生理的分泌物または細胞分泌物であり、かつ／または、前記マルチブロックビニルポリマーが、抗体、アミノ酸、タンパク質、ペプチド、ポリペプチド、酵素、ホルモン、リンホカイン、代謝産物、抗原、ハプテン、レクチン、アビジン、ストレプトアビジン、ビオチン、毒素、毒、糖質、オリゴ糖、多糖、糖タンパク質、糖脂質、ヌクレオチド、オリゴヌクレオチド、核酸もしくは誘導体化された核酸、ＤＮＡ、ＲＮＡ、受容体、ウイルス粒子、細菌、ウイルス成分、細胞、細胞成分、天然の脂質小胞、合成脂質小胞、またはポリマー膜に結合している、請求項２０〜２２のいずれか一項に記載の方法。
【手続補正２】
【補正対象書類名】明細書
【補正対象項目名】００１１
【補正方法】変更
【補正の内容】
【００１１】
マルチブロックビニルポリマーが表面に結合したポリマー粒子が開示される。該粒子は、２、３、４個またそれ以上のブロックポリマーが結合していてよく、必要に応じて少なくとも一つの結合パートナーを有することができる。この結合パートナーは、さまざまな精製方法および検出方法においてポリマー粒子の使用を容易にする。
[請求項101]
マルチブロックビニルポリマーが表面に結合した、ポリマー粒子。
[請求項102]
前記マルチブロックビニルポリマーが、第1のブロックポリマーおよび第2のブロックポリマーを含む複数のブロックポリマーを含み、
前記第1のブロックポリマーが、親水性で電荷を帯びておらず、かつ
前記第2のブロックポリマーが、結合パートナーと共有結合を形成できる1つまたは複数の官能基を含む、請求項101に記載のポリマー粒子。
[請求項103]
前記第2のブロックポリマーが電荷を帯びているかまたは電荷を帯びることができる、請求項102に記載のポリマー粒子。
[請求項104]
第3のブロックポリマーをさらに含む、請求項101に記載のポリマー粒子。
[請求項105]
前記マルチブロックビニルポリマーが、2つのブロックポリマー、3つのブロックポリマー、または4つのブロックポリマーを有する、請求項101に記載のポリマー粒子。
[請求項106]
前記マルチブロックビニルポリマーが、2つのブロックポリマーを有する、請求項101に記載のポリマー粒子。
[請求項107]
前記第1のブロックポリマーが少なくとも3つの同一のモノマー単位から形成される、請求項101に記載のポリマー粒子。
[請求項108]
前記第2のブロックポリマーが少なくとも3つの同一のモノマー単位から形成される、請求項101に記載のポリマー粒子。
[請求項109]
前記第1のブロックポリマーが第1のモノマー単位から形成され、前記第2のブロックポリマーが第2のモノマー単位から形成される、請求項101に記載のポリマー粒子。
[請求項110]
前記マルチブロックビニルポリマーの各ブロックが、約500ダルトン〜約10,000ダルトンの分子量を有する、請求項101に記載のポリマー粒子。
[請求項111]
前記マルチブロックビニルポリマーが、エチレン、スチレン、アクリレート、アクリル酸、アクリルアミド、ヒドロキシメチルアクリルアミド、N-トリス(ヒドロキシメチル)アクリルアミド、塩化ビニル、テトラフルオロエチレン、ビニルアズラクトン、ビニルベンジルクロリド、またはこれらの組み合わせのポリマーを含む、請求項101に記載のポリマー粒子。
[請求項112]
前記マルチブロックビニルポリマーが、メタクリレート、メタクリル酸メチル、アクリル酸エチル、N-ヒドロキシスクシンイミドメタクリレート、アクリル酸tertブチル、アクリル酸ブチル、アクリル酸エトキシエチル、アクリル酸エチルヘキシル、アクリル酸ヒドロキシエチル、アクリル酸ヒドロキシメチル、アクリル酸ヒドロキシプロピル、PEG官能性を有するアクリレート、アクリル酸ヒドロキシメチル、アクリル酸エチル、エチルエーテルアクリレート、エチレングリコールメチルエーテルアクリレート、フルオレセインo-アクリレート、2-アクリル酸ヒドロキシプロピル、またはこれらの組み合わせのポリマーを含む、請求項101に記載のポリマー粒子。
[請求項113]
前記マルチブロックビニルポリマーがメタクリレートのポリマーを含む、請求項101に記載のポリマー粒子。
[請求項114]
前記第1のブロックポリマーがスチレンポリマーであり、前記第2のブロックポリマーがメタクリレートポリマーである、請求項101に記載のポリマー粒子。
[請求項115]
末端のブロックポリマーが、アミノ、カルボン酸、活性化されたカルボン酸、スクシンイミジルエステル、エステル、酸塩化物、ハロゲン化物、活性化された水酸化物、アルコキシド、トシレート、ブロシレート、メシラート、水酸基、チオール、活性化されたチオール、カーボネート、マレイミドおよびエポキシドからなる群から選択される少なくとも1つの官能基を含む、請求項101に記載のポリマー粒子。
[請求項116]
磁性物質である、請求項101に記載のポリマー粒子。
[請求項117]
超常磁性結晶をさらに含む、請求項101に記載のポリマー粒子。
[請求項118]
多孔性である、請求項101に記載のポリマー粒子。
[請求項119]
磁性物質でありかつ多孔性である、請求項101に記載のポリマー粒子。
[請求項120]
約0.1μm〜約500μmの直径を有する、請求項101に記載のポリマー粒子。
[請求項121]
球形形状であることを特徴とする、請求項101に記載のポリマー粒子。
[請求項122]
実質的に単分散であることを特徴とする、請求項101に記載のポリマー粒子。
[請求項123]
実質的に単分散でありかつ20%未満の変動係数を有することを特徴とする、請求項101に記載のポリマー粒子。
[請求項124]
前記マルチブロックビニルポリマーが結合パートナーに結合している、請求項101に記載のポリマー粒子。
[請求項125]
前記マルチブロックビニルポリマーが、抗体、アミノ酸、タンパク質、ペプチド、ポリペプチド、酵素、ホルモン、リンホカイン、代謝産物、抗原、ハプテン、レクチン、アビジン、ストレプトアビジン、ビオチン、毒素、毒、糖質、オリゴ糖、多糖、糖タンパク質、糖脂質、ヌクレオチド、オリゴヌクレオチド、核酸もしくは誘導体化された核酸、DNA、RNA、受容体、ウイルス粒子、細菌、ウイルス成分、細胞、細胞成分、天然の脂質小胞、合成脂質小胞、またはポリマー膜に結合している、請求項101に記載のポリマー粒子。
[請求項126]
コーティング層をさらに含む、請求項101に記載のポリマー粒子。
[請求項127]
試料から標的物質を精製する方法であって、
標的物質を含む試料を提供する段階と、
マルチブロックビニルポリマーが表面に結合しているポリマー粒子を提供する段階と、
前記標的物質が前記ポリマー粒子に結合するのに適している条件下で、前記試料と前記ポリマー粒子を接触させる段階と、
前記ポリマー粒子を前記試料から分離する段階と
を含む、方法。
[請求項128]
前記分離段階の後に、前記標的物質を検出する段階をさらに含む、請求項127に記載の方法。
[請求項129]
前記分離段階の後に、前記標的物質を前記ポリマー粒子から単離する段階をさらに含む、請求項127に記載の方法。
[請求項130]
前記標的物質が、ペプチド、タンパク質、糖タンパク質、脂質、糖質、リポタンパク質、糖タンパク質、核酸、DNA、RNA、PNA、アプタマー、ヌクレオシド、ヌクレオチド、多糖、脂質小胞、ウイルス、または細胞である、請求項127に記載の方法。
[請求項131]
前記標的物質が、サイトカイン、ホルモン、ビタミン、表面受容体、ハプテン、抗原、抗体、酵素、成長因子、組換えタンパク質、または毒素である、請求項127に記載の方法。
[請求項132]
前記試料が、生物学的発酵培地、細胞溶解物、原核細胞、真核生物細胞、ウイルス粒子の懸濁液、組織、体液、尿、脳脊髄液、血液、リンパ液、間質液、細胞抽出液、粘液、唾液、痰、糞便、および生理的分泌物または細胞分泌物である、請求項127に記載の方法。
[請求項133]
前記マルチブロックビニルポリマーが、抗体、アミノ酸、タンパク質、ペプチド、ポリペプチド、酵素、ホルモン、リンホカイン、代謝産物、抗原、ハプテン、レクチン、アビジン、ストレプトアビジン、ビオチン、毒素、毒、糖質、オリゴ糖、多糖、糖タンパク質、糖脂質、ヌクレオチド、オリゴヌクレオチド、核酸もしくは誘導体化された核酸、DNA、RNA、受容体、ウイルス粒子、細菌、ウイルス成分、細胞、細胞成分、天然の脂質小胞、合成脂質小胞、またはポリマー膜に結合している、請求項127に記載の方法。